(57)【要約】【課題】釣竿として、先細りの一様なテーパー形状を持つ金属パイプ管を穂先として用いた釣竿が知られている。【解決手段】釣竿は、テーパー状に伸長された金属材料からなり、穂先竿の先端側を任意長の中実構造とし、中実構造に続いて中空構造を含む穂先部と、維強化樹脂材料により形成される細長い円筒形状を成す穂持部と、金属材料又は繊維強化樹脂材料の何れかにより形成され、穂先部と穂持部とを接合する継ぎ手部とを有する。【選択図】図１
2014045723.tif 000002
【特許請求の範囲】
【請求項１】
直軸で円筒に伸長された金属材料で形成される、竿先側に配置される任意長の中実部及び該中実部に続く中空部を含む穂先部と、
繊維強化樹脂材料により形成される細長い円筒形状を成す穂持部と、
前記金属材料又は繊維強化樹脂材料の何れかにより形成され、前記穂先部と前記穂持部とを接合する継ぎ手部と、
で構成される穂先竿を有する釣竿。
【請求項２】
直軸で円筒に伸長された金属材料で形成される、竿先側に配置される任意長の中空部を含む穂先部と、
繊維強化樹脂材料により形成される細長い円筒形状を成す穂持部と、
前記金属材料又は繊維強化樹脂材料の何れかにより形成され、前記穂先部と前記穂持部とを接合する継ぎ手部と、
で構成される穂先竿を有する釣竿。
【請求項３】
直軸で円筒に伸長された一体的な金属材料で形成される、竿先側に配置される任意長の中実部及び該中実部に続く中空部を含む穂先部と、
繊維強化樹脂により形成される細長い円筒形状を成す穂持部と、
前記金属材料又は繊維強化樹脂材料の何れかにより形成され、前記穂先部と前記穂持部とを接合する継ぎ手部と、
で構成される穂先部を有する釣竿。
【請求項４】
直軸で円筒に伸長されて一体的に、金属材料で形成される竿先側に配置される任意長の中実部及び該中実部に続く金属中空部と、該金属中空部に継がれて繊維強化樹脂により形成される中空部を含む穂先部と、
繊維強化樹脂により形成される細長い円筒形状を成す穂持部と、
前記金属材料又は繊維強化樹脂材料の何れかにより形成され、前記穂先部と前記穂持部とを接合する継ぎ手部と、
で構成される穂先部を有する釣竿。
【請求項５】
前記穂先部は、前記中空部の中に複数の部分的中実部を配置した構成であることを特徴とする請求項１乃至４の何れか１項に記載の釣竿。
【請求項６】
前記穂先部は、前記中空部の中に複数の部分的狭窄部を配置した構成であることを特徴とする請求項１乃至４の何れか１項に記載の釣竿。
【請求項７】
前記継ぎ手部材は、前記穂先部と前記穂持部をインロー継ぎする円柱形状又はパイプ形状の何れかの形状を成すことを特徴とする請求項１乃至４の何れか１項に記載の釣竿。
【請求項８】
前記継ぎ手部材は、
前記穂先部の接合箇所の表面から段差を設けられた接合面に表面が平坦となるように嵌合する前記継ぎ手部材及び前記穂先部による第１の重なり構造を有し、
前記継ぎ手部材における前記穂持部の接合箇所に対して、前記接合箇所の表面から段差を設けられた接合面に、表面が平坦となるように前記穂持部を嵌合して、前記穂先部、前記継ぎ手部材及び前記穂持部による第２の重なり構造を有することを特徴とする１乃至４の何れか１項に記載の釣竿。
【発明の詳細な説明】
【技術分野】
【０００１】
本発明は、金属により形成された穂先竿が設けられた釣竿に関する。
【背景技術】
【０００２】
近年における釣竿は、強化繊維を含む繊維強化樹脂により形成され、曲げ剛性やねじれ剛性等が向上し、釣竿の細径化及び軽量化が進み、扱いが容易になっている。釣竿全体の細径化に伴い、竿先も細くなるが、魚種によっては、竿先に負荷が大きく掛かり、釣竿の強度のバランス設計が難しくなっている。また、竿先は、釣糸が纏った状態にも関わらずリールで釣糸を巻き上げる、又は仕掛けを投入して局所的な負荷を掛けた場合には、トップガイド部分又は穂先が折れてしまう事故が発生する。
【０００３】
そこで、穂先竿の強度を向上させる手段として、例えば、特許文献１に提案されているように、先細りの一様なテーパー形状を持つ金属パイプ管を穂先として用いた釣竿が提案されている。この提案では、さらに、金属管表面に耐食性コーティングやプリプレグを巻き付けることにより、表面処理を行う技術が記載されている。勿論、金属材料により形成される釣竿においては、中実な構造の穂先竿も流通している。
【先行技術文献】
【特許文献】
【０００４】
【特許文献１】特開昭５３−１３４６８６号公報
【発明の概要】
【発明が解決しようとする課題】
【０００５】
前述した引用文献１では、金属管にスエージング加工を用いて先細りテーパー加工している。また、この工法を利用すると、先端部分が厚くなるため、研削により肉厚が薄くなるように調整することが記述されている。また、金属板をロール巻加工又は、パイプ加工により製造する構成も提案されている。
【０００６】
しかし、肉厚調整により可撓性を持たせたとしても、穂先竿を一様に中空な構造としているため、魚種別の専用竿、例えば、鮎竿や青物竿のように竿の撓り具合が異なる釣竿が要求された場合に、単なる厚さ調整だけでは汎用性がなく、安易に適用しても満足できる構造とはならない。また、鮎竿のように、長い穂先竿であれば、全てを金属管で作成することもできず、釣竿全体の撓り具合から見ると、途中で樹脂製竿に繋ぐ必要があるが、引用文献１では、何らの技術も提供されていない。
【０００７】
そこで本発明は、軽量で十分な剛性を持ち、且つ魚信を受けて感度よく撓み、当たりが見分け易い穂先を有する釣竿を提供することを目的とする。
【課題を解決するための手段】
【０００８】
上記目的を達成するために、本発明に従う実施形態の釣竿は、直軸で円筒に伸長された金属材料で形成される、竿先側に配置される任意長の中実部及び該中実部に続く中空部を含む穂先部と、繊維強化樹脂材料により形成される細長い円筒形状を成す穂持部と、前記金属材料又は繊維強化樹脂材料の何れかにより形成され、前記穂先部と前記穂持部とを接合する継ぎ手部と、で構成される穂先竿を有する。
【０００９】
さらに、他の実施形態は直軸で円筒に伸長された金属材料で形成される、竿先側に配置される任意長の中空部を含む穂先部と、繊維強化樹脂材料により形成される細長い円筒形状を成す穂持部と、前記金属材料又は繊維強化樹脂材料の何れかにより形成され、前記穂先部と前記穂持部とを接合する継ぎ手部と、で構成される穂先竿を有する。
【発明の効果】
【００１０】
本発明によれば、軽量で十分な剛性を持ち、且つ魚信を受けて感度よく撓み、当たりが見分け易い穂先を有する釣竿を提供することができる。
【図面の簡単な説明】
【００１１】
【図１】図１（ａ）は、第１の実施形態に係る釣竿の全体的な外観構成を示す図、図１（ｂ）は、加工前の穂先竿の材料の断面図、図１（ｃ）は、穂先竿部分の断面構造を示す図である。
【図２】図２（ａ）は、他の例として、加工前の穂先竿の材料の断面図、図２（ｂ）は、穂先竿部分の断面構造を示す図である。
【図３】図３（ａ）は、第２の実施形態に係る加工前の穂先竿の材料の断面図、図３（ｂ）は、穂先竿の断面構造を示す図、図３（ｃ）は、他の例となる穂先竿の断面構造を示す図である。
【図４】図４は、第３の実施形態に係るガイド付き穂先竿の外観構成を示す図である。
【図５】図５は、第３の実施形態に係る穂先竿の穂先部と穂持部の継ぎ構造を示す断面構造を示す図である。
【図６】図６は、第３の実施形態の変形例に係るガイド付き釣竿における穂先竿の継ぎ部分の断面構造を示す図である。
【図７】図７は、第４の実施形態に係るガイド付き釣竿における穂先竿の継ぎ部分の断面構造を示す図である。
【図８】図８は、図７のＢ部分を拡大して示す断面構造を示す図である。
【図９】図９は、図７のＣ部分を拡大して示す断面構造を示す図である。
【発明を実施するための形態】
【００１２】
以下、図面を参照して本発明の実施形態について説明する。  
図１（ａ）は、第１の実施形態に係る釣竿の全体的な外観構成を示す図、図１（ｂ）は、加工前の穂先竿の材料の断面図、図１（ｃ）は、穂先竿部分の断面構造を示す図である。図２（ａ）は、他の例として、加工前の穂先竿の材料の断面図、図２（ｂ）は、穂先竿部分の断面構造を示す図である。以下、本実施形態の釣竿として、複数に分割されて並継ぎ式や振出式等により継合し、一本竿となる継ぎ竿を例として説明しているが、竿先に本実施形態の構造の穂先部を設けた所謂ワンピース竿にも同等に適用することができる。
【００１３】
図１（ａ）に示すように、釣竿１は、竿先側から、穂先竿２、２番竿３及び元竿４が継がれて、一本の釣竿を構成している。本実施形態の穂先竿２は、金属製穂先を採用した穂先部２ａと、その穂先部２ａと接合し、カーボン等の強化繊維に繊維強化樹脂を含浸した樹脂シート、所謂プリプレグを用いた樹脂製の穂持部２ｂにより構成される。
【００１４】
図１（ｃ）に示すように、メタルトップの穂先部２ａは、先端側の中実部（金属によるソリッド）６ａと、中空部（所謂、チューブラー）６ｂとで形成される。本実施形態の穂先部２ａは、図１（ｂ）に示すように、例えば、チタン合金を材料とする細長いキャップ形状（底部５ａと筒部５ｂ）の穂先材料５を用いて、スエージング加工を用いて先細りテーパー加工により、伸長させている。尚、図１（ｂ）では、キャップ形状の穂先材料を示しているが、図２（ａ）に示すように、筒（パイプ）形状の穂先材料７をスエージング加工を用いて先細りテーパー加工により、図２（ｂ）に示すように、パイプ形状に伸長させてもよい。
【００１５】
また、筒形状の穂先材料７を用いたとしても、先細りテーパー加工によっては、細い先端部分のパイプ形状を潰すことができ、中実部となるように形成させることもできる。また、中空構造の穂先竿内で部分的に充填部材を差し入れて固着させることで、任意箇所の一部を中実構造とすることも可能である。
【００１６】
従来技術としては、全てが中実構造（ソリッド構造）の穂先竿又は、引用文献１で提案される、ステンレス鋼からなる金属管を伸長させた中空構造の穂先竿が公知となっている。さらに、引用文献１に記述されているように、穂先竿の中実部は、鋼線又は炭素繊維等に合成樹脂が巻き付けられた棒状部材が差し入れられた構造である。
【００１７】
通常、全てが中実構造の穂先竿は、高い剛性を得られるが、中空構造に比べると、重量があり、感度も高くない。これに対して、中空構造の穂先竿は、中実構造に比べると高い剛性ではないが、繊維強化樹脂からなる穂先竿に比べると高い剛性を有している。さらに、中空構造の穂先竿は、中実構造に比べると、同径であれば、軽量化が実現化され、設計仕様に合わせて竿杆の径を比較的自由に設定できる。
【００１８】
但し、従来技術で提案されている穂先竿の中空部全体に棒状部材を差し込んで中実部とした構成は、剛性の調整は可能であるが、中空部に比べて、重量の軽量化を図ることができない。また、別体の棒状部材を穂先竿の細長い中空部に差し入れることとなるため、接着剤等を用いたとしても、密着させて隙間を無くすことは容易ではない。さらに、隙間を埋めたとしても棒状部材と接着剤で偏りが生じて、竿杆の径の中心から重心がずれていた場合には、負荷が掛かった際にねじれが発生し、湾曲形状が変化してしまう。
【００１９】
従って、本実施形態によれば、穂先竿２のうち、竿先側の穂先部２ａは、先端を任意長の中実構造６ａとし、先端に続いて中空構造６ｂとすることにより、細径化を実現しながら先端部分の強度を確保し、且つ穂持部２ｂ側を中空構造とすることにより、軽量化を図りながら金属材料の特有の高い感度を維持させることができる。
【００２０】
また、変形例としては、穂先部２ａを中空構造として形成し、中空構造の穂持部２ｂを継ぐ構成であっても同等の作用効果を得ることができる。よって、穂先竿の形成後に中空部分全てに充填物を埋め込むように差し入れてはいないため、竿杆の径の中心から重心がずれることはなく、竿の撓みを阻害するようなねじれも生じない。  
尚、本実施形態の釣竿は、釣糸ガイドが設けられていない釣竿を一例として記載しているが、勿論、釣糸ガイドを設けたとしても同等の作用効果を得ることができる。
【００２１】
次に、第２の実施形態について説明する。  
図３（ａ）は、第２の実施形態に係る加工前の穂先竿の材料の断面図、図３（ｂ）は、穂先竿の断面構造を示す図である。本実施形態では、穂先竿の中空部分中に複数の部分的中実部を配置した構成である。
【００２２】
図３（ａ）に示すように、本実施形態は、前述したと同様に、穂先竿１１の中実部１１ａが竿先に配置され、続いて中空部１１ｂが配置される。さらに中空部１１ｂの中程に中実部１１ｃを形成した構造である。この構造は、図３（ｂ）に示すような、前述したキャップ形状（底部１２ａ及び筒部１２ｂ）に、壁部１２ｃを加えた構造の穂先材料１２を用いて、スエージング加工を用いて先細りテーパー加工により、伸長させている。
【００２３】
穂先材料１２における壁部１２ｃの配置や厚さは、任意に設定することが可能であり、スエージング加工後に要求した位置や厚さとなるように、実際の加工を実施した結果から設定することが好ましい。  
さらに、図３（ｃ）に示すように、穂先竿１１内の中実部１１ｃは、内側に張り出すように肉厚に形成する狭窄部１３であってもよい。この狭窄部１３を設けることで、曲げ剛性を部分的に変化させることで、湾曲形状や撓り具合を変化させることができる。狭窄部１３の張り出し形状やその幅を調整することで、曲げ剛性を調整することかできる。
【００２４】
本実施形態の穂先竿によれば、第１の実施形態における高感度、軽量化を実現し、さらに、中空部内で任意の位置及び大きさで、１つ以上の中実部又は、狭窄部１３を配置することで、剛性を局所的に変化させることができ、所望する曲げ剛性やねじれ剛性に加えて、所望する撓み形状を実現することができる。特に、繋ぎ竿で細長い穂先竿に対して、所望する撓み形状を得ることができ、魚信を受けた際穂先のしなり時の動きに変化が付き、その変化を感度と捉えることができる。また、図示していないが、外側のテーパー形状を長さ方向に部分的に変化させることにより、肉厚を変化させ、剛性を部分的に変化させても良い。
【００２５】
次に、第３の実施形態について説明する。  
図４は、第３の実施形態に係るガイド付き穂先竿の外観構成を示す図である。図５は、本実施形態の穂先竿における穂先部と穂持部の継ぎ構造を示す断面構造を示す図である。尚、本実施形態で、前述した第１の実施形態の構成部位と同等の構成部位には、同じ参照符号を付してその説明を省略する。
【００２６】
本実施形態は、トップガイド２３及び複数の釣糸ガイド２４ａ〜２４ｅが配置された穂先竿２１において、前述した穂先部２ａと、穂持部２ｂとが繋がれた構成である。本実施形態では、継ぎ手部材２５を用いたインロー継ぎを例として説明するが、勿論、穂先部２ａと穂持部２ｂが互いに嵌合する並継ぎの継ぎ構造を採用してもよい。
【００２７】
図５に示すように、穂先部２ａと穂持部２ｂは、継ぎ手部を形成する継ぎ手部材２５によるインロー継ぎ手構造に構成される。継ぎ手部材２５は、例えば、金属部材又は、樹脂部材（プリプレグを巻回して固化した部材等）により、中実構造の円柱形状に形成され、穂持部２ｂ及び穂先部２ａの互いに嵌め込まれて、接着剤等で固定される。穂持部２ｂ及び穂先部２ａの間に釣糸ガイドのフット部が掛け渡され、隙間２７を跨いだ状態で固定される。隙間２７は、釣糸ガイドの巻糸固定されたフット部と共に、エポキシ樹脂等により埋め込まれる。
【００２８】
本実施形態によれば、継ぎ手部材２５を用いたインロー継ぎにより、強度を保持し、且つ穂先竿の撓み状態が一様な曲がり具合を実現することができる。また、継ぎ手部材２５の材料（繊維強化樹脂又は金属材料等）の硬さ等を考慮して選択することにより、穂先竿の撓み具合を調整することができる。尚、本実施形態では、釣糸ガイドが設けられた釣竿を例として説明したが、勿論、ガイドを設けていない釣竿においても同等に適用することができる。
【００２９】
次に、第３の実施形態の変形例について説明する。  
図６は、第３の実施形態の変形例に係るガイド付き釣竿における穂先竿の継ぎ部分の断面構造を示す図である。この変形例では、穂先部２ａと、穂持部２ｂとを繋ぐ継ぎ手部材を中実構造から中空構造に変更した例である。  
図６に示すように、穂先部２ａと穂持部２ｂとが内部が中空な円筒（パイプ）形状の継ぎ手部材２６により繋がれている。
【００３０】
本変形例によれば、前述した第３の実施形態と同等の作用効果を奏することができる。さらに、継ぎ手部材２６の厚みを調整することにより、第３の実施形態よりも穂先竿の撓み具合を調整することができる。例えば、継ぎ手部材２６の厚みを一定の厚さではなく、竿先側を竿元側よりも薄くすることにより、穂先側の撓み量が大きくなるように調整すること可能である。つまり、穂先部２ａと穂持部２ｂとの撓み具合が継ぎ部分の前後でスムーズな曲率で撓ませることが可能である。
【００３１】
次に、第４の実施形態について説明する。  
図７は、第４の実施形態に係るガイド付き釣竿における穂先竿の継ぎ部分の断面構造を示す図である。  図８は、図６のＢ部分を拡大して示す断面構造を示す図である。図９は、図７のＣ部分を拡大して示す断面構造を示す図である。
【００３２】
前述した穂先部２ａと穂持部２ｂは、穂先部の端部に巻回された繊維強化樹脂からなる継ぎ手部により接合された形状である。本実施形態では、穂先部の後端の段差に継ぎ手部材３３を形成し、継ぎ手部材３３に形成した段差に、穂持ち部３４を接合した構造である。本実施形態において、前述した第１の実施形態と同様に、穂先部３２は金属材料により形成され、プリプレグ等の繊維強化樹脂により形成され、継ぎ手部材３３は、上述の金属材料又は繊維強化樹脂により形成される。
【００３３】
図８に示すように、金属製の穂先部３２の外周側から研削して段差的に薄くした接合部３２ａを形成する。この接合部３２ａに対して表面部分がスムーズな面（平坦面）として繋がるように継ぎ手部材３３を嵌装している。また、接着剤等で固着しても良い（第１の重なり構造）。次に、図９に示すように、継ぎ手部材３３においても外周側から研削して段差的に薄くした接合部３３ａを形成する。この時、接合部３３ａは、接合部３２ａは重ね合わせられた積層構造となっている。
【００３４】
さらに、継ぎ手部材３３の接合部３３ａに対して表面部分がスムーズな面（平坦面）として繋がるように穂持部３４を嵌装し、接着剤等で固着される（第２の重なり構造）。従って、それぞれの接合部が穂持部３４と重ね合わせられることで、穂先部３２が継ぎ手部材３３を挟んで穂持部３４に積層された構造となる。
【００３５】
尚、本実施形態では、接合部３２ａ及び継ぎ手部材３３と、接合部３３ａ及び穂持部３４とにおける表面側の接合面が平坦面となるように繋がる構造としている。これは、釣糸ガイドのフット部分が繋ぎ目に掛かるためであり、反対にフット部分が掛からない場合には、必ずしも平坦面として形成しなくともよい。
【００３６】
以上説明した本実施形態によれば、それぞれの接合部の厚さ及び接合面積を調整することにより、穂先部３２、継ぎ手部材３３及び穂持部３４の厚み、重なり量（面積又は長さ）を調整することにより、穂先竿の撓み具合を調整することができる。特に、継ぎ手部材３３を介在した状態で、穂先部３２から穂持部３４まで一体的な重なりを持つように形成されているため、撓み具合がそれぞれの継ぎ部分でスムーズな曲率で撓ませることが可能である。
【００３７】
以上説明した各実施形態及び変形例においては、穂先竿が中空構造を適用することにより、釣竿の軽量化を図り、中実構造の同径の構成に対して、穂先部と穂持部の剛性差を大きくでき、穂先竿の魚信に対する当たりによる撓みに変化を付けやすいので、手に伝わる感触と共に穂先のしなり時の動きに変化が付き、その変化を感度と捉えることができ、当たりの取りやすい、感度のよい釣竿を実現できる。また、中空構造で且つ、部分的に中実構造部分を配置することにより、十分な剛性を確保しながら所望する撓み形状を得ることができ、見た目に分かりやすい撓み状態だけではなく、掛かった魚の取り込みが容易な腰のある釣竿を実現することができる。
【００３８】
また、穂先部３２及び穂持部３４のテーパー角度に変化を持たせる、即ち、所望する径のテーパー形状にそれぞれを形成することができる。これにより、竿先部分の撓み易く、魚信による当たりに変化を付けることができる。また、外形だけではなく穂先部３２の厚みを調整することにより、所望する剛性及び撓み具合を設定することができる。
【符号の説明】
【００３９】
１…釣竿、２，２１…穂先竿、２ａ…穂先部、２ｂ…穂持部、３…２番竿、４…元竿、５…、６ａ，１１ｃ…中実部、６ｂ，１１ｂ…中空部、１２…穂先材料、１２ａ…底部、１２ｂ…筒部、１２ｃ…壁部、２３…トップガイド、２４…釣糸ガイド２４ａ〜２４ｅ、２５…継ぎ手部材。
【図１】
2014045723.tif 000003
【図２】
2014045723.tif 000004
【図３】
2014045723.tif 000005
【図４】
2014045723.tif 000006
【図５】
2014045723.tif 000007
【図６】
2014045723.tif 000008
【図７】
2014045723.tif 000009
【図８】
2014045723.tif 000010
【図９】
2014045723.tif 000011